(57)【要約】【課題】性交時の男性性器の膣内への挿入を円滑化し、特に高齢者の性行為をスム−ズにしうる潤滑製剤を提供する。【解決手段】粘膜への浸透性を有する動物製油、植物製油又はワセリンに焼ミョウバン又はミョウバンを混合して分散させる。動物製油には馬油やまむし油を、植物製油にはオリーブ油、菜種油やゴマ油を用いることができる。膣粘膜の潤滑性及び浸透性の点から、馬油が好ましい。馬油と焼ミョウバンとは重量比で１０：０．１以上、１０：１０以下の割合、好ましくは１０：０．８以上、１０：１以下の割合で混合するのがよい。【選択図】　なし【特許請求の範囲】
【請求項１】
粘膜への浸透性を有する動物製油、植物製油又はワセリンに焼ミョウバン又はミョウバンを混合して分散させてなることを特徴とする潤滑製剤。
【請求項２】
上記動物製油が馬油又はまむし油である請求項１記載の潤滑製剤。
【請求項３】
上記植物製油がオリーブ油、菜種油又はゴマ油である請求項１記載の潤滑製剤。
【請求項４】
馬油と焼ミョウバンとが重量比で１０：０．１以上、１０：１０以下の割合で混合されている請求項１記載の潤滑製剤。
【請求項５】
馬油と焼ミョウバンとが重量比で１０：０．８以上、１０：１以下の割合で混合されている請求項４記載の潤滑基剤。
【発明の詳細な説明】
【０００１】
【発明の属する技術分野】
本発明は潤滑製剤に関し、特に性交時に女性の膣粘膜に潤いを与えるとともに、膣の適度な締めつけが得られるようにした製剤に関する。
【０００２】
【従来の技術】
近年、男女の高年齢化がすすみ、高齢の男女間においても性行動を伴った関係が増加する傾向にある。しかし、高齢者の場合、男性性器の勃起不全あるいは女性の膣内の分泌液不足に起因し、性交が滑らかに行えないことが多い。
【０００３】
また、子宮の摘出手術を受けた女性の場合にも膣内の分泌液不足に起因し、性交時の痛みを訴えることが多い。
【０００４】
そこで、円滑に性交を行えるよう種々の潤滑製剤が提案されている。これらの潤滑剤は、そのほとんどがグリセリン基剤にメチルセルロ−ズ、ヒドロキシプロピルメチルセルロ−ズ等のセルロ−ス誘導体を加え、ゲル状あるいはぺ−スト状の製剤としたものである。また、ムチン、ヒアルロン酸及びデキストランを適切な割合で混合した製剤も提案されている（例えば、特許文献１、参照）。
【０００５】
【特許文献１】特開昭６３−２１８６１７号公報
【０００６】
【発明が解決しようとする課題】
しかしながら、前者の潤滑製剤はいずれも女性分泌液の性状とは程遠いもので、使用後のベタ付きがひどく、さらに時として白色残査を生じ、衣服類を汚し不快感を与えるなど、適当なものとは言えないばかりでなく、男性性器の勃起が不充分な場合には男性性器を膣内に挿入できてもすぐに抜けやすい。
【０００７】
また、後者の潤滑製剤は女性の分泌液に物性が近いものの、男性性器の勃起が不充分な場合には性器を膣内に挿入できてもすぐに抜けやすいという問題があった。
【０００８】
本発明者は、このような欠点のない製剤を、入手が容易で安全な原料から簡単に製造すべく、種々検討の結果、本発明を完成するに至った。
【０００９】
【課題を解決するための手段】
すなわち、本発明に係る潤滑製剤は、粘膜への浸透性を有する動物製油、植物製油又はワセリンに焼ミョウバン又はミョウバンを混合して分散させてなることを特徴とする。
【００１０】
ところで、焼ミョウバンやミョウバンは性状として収斂性が知られている。しかし、膣粘膜に焼ミョウバンやミョウバンを直接塗布し、あるいはその水溶液を塗布すると、膣粘膜が収斂を開始するまでに１０分ないし１５分以上の時間を必要とする。したがって、勃起の不十分な男性性器を女性の膣内に挿入すると、膣粘膜が収斂を開始するまでに時間がかかるので、男性性器が抜けてしまい、性交が難しい。
【００１１】
これに対し、本発明の潤滑製剤では、動物製油、植物製油又はワセリンが女性の膣内に分泌液に似た潤滑性を与え、同時に、動物製油、植物製油又はワセリンが膣粘膜への浸透性に優れることから、焼ミョウバンやミョウバンの膣粘膜への浸透が促進され、所望の時間内に膣粘膜の収斂が得られる。
【００１２】
その結果、勃起の不充分な男性性器を女性の膣内に挿入してから女性の膣粘膜が収斂を開始し、男性性器への適度な刺激となるので、簡単に抜けることはなく、円滑な性交が可能となる。
【００１３】
動物製油には馬油やまむし油を用いることができる。馬油には白色のものと茶色のものがあるが、いずれを用いてもよい。まむし油には例えば長野県に所在する株式会社みやま商事から販売されている製品を用いることができる。粘膜への浸透性という点からは馬油が好ましい。
【００１４】
植物製油にはオリーブ油、ゴマ油、菜種油を用いることができる。粘膜への浸透性という点からはオリーブ油が好ましい。
【００１５】
ミョウバンは一般的には硫酸アルミニウムとアルカリ金属やタリウム、アンモニウム等の１価の硫酸塩とからなる複塩である。本発明では焼ミョウバン、具体的には乾燥硫酸アルミニウムカリウム（日本薬局方）や乾燥硫酸アルミニウムアンモニウム（日本薬局方）を用いるが、ミョウバン、例えば硫酸アルミニウムカリウム（日本薬局方）や硫酸アルミニウムアンモニウム（日本薬局方）を用いることもできる。焼ミョウバン及びミョウバンは膣粘膜に付着し浸透することによって膣粘膜を収斂させる働きがある。
【００１６】
本件発明者からの実験によれば、馬油と乾燥硫酸アルミニウムアンモニウムの組合せが最も顕著な効果を奏した。馬油と乾燥硫酸アルミニウムアンモニウムは市販のものでよい。馬油は民間療法の保険薬として使用され、ミョウバンは媒染剤、製紙に使用されるほか、化粧品にも用いられるようであるが、両者を併用した事例はない。
【００１７】
女性の体質や体調によって製剤の効き方に差があり、又膣分泌液の分泌状況も異なるので、動物製油、植物製油又はワセリンと焼ミョウバン又はミョウバンとの混合割合は適宜選択する必要がある。
【００１８】
馬油と焼ミョウバンとは重量比で１０：０．１以上、１０：１０以下の割合で混合するのがよい。１０重量部の馬油に対して０．１重量部未満の焼ミョウバンを混合した場合には膣粘膜の湿潤性は得られるが、所期の収斂性は得られない。他方、１０重量部の馬油に対して１０重量部を越える量のミョウバンを混合した場合には膣粘膜がすぐに収斂を開始して締まりすぎ、男性性器の膣への挿入が非常に困難になる。
【００１９】
本件発明者らの実験によれば、１０重量部の油に対して０．８重量部以上１重量部以下のミョウバンを練合した潤滑基剤が優れた湿潤性及び膨張性が得られることが確認された。
【００２０】
両者を練合する場合、例えば焼ミョウバンを乳鉢に入れ、乳棒で微粉末の状態にすりつぶした後、乳鉢に油を添加して練り合わせるようにする。なお、必要に応じ、グリセリン、コラ−ゲン、ビタミンＥ等の材料を加えてもよい。
【００２１】
【発明の実施の形態】
〔実施例１〕
乾燥硫酸アルミニウムアンモニウム（以下、単に焼ミョウバンという）１ｇを乳鉢に入れ乳棒ですりつぶした後、白色の馬油１００ｇを添加して練り合わせ、白色のゲル状の製剤１０１ｇを得た。
【００２２】
〔実施例２〕
焼ミョウバンを８ｇとし、実施例１と同様にして製剤１０８ｇを得た。
【００２３】
〔実施例３〕
焼ミョウバンを１０ｇとし、実施例１と同様にして製剤１１０ｇを得た。
【００２４】
〔実施例４〕
焼ミョウバンを３０ｇとし、実施例１と同様にして製剤１３０ｇを得た。
【００２５】
〔実施例５〕
焼ミョウバンを８０ｇとし、実施例１と同様にして製剤１８０ｇを得た。
【００２６】
〔実施例６〕
焼ミョウバンを１００ｇとし、実施例１と同様にして製剤２００ｇを得た。
【００２７】
〔比較例１〕
焼ミョウバン０．５ｇを乳鉢に入れ乳棒ですりつぶした後、馬油１００ｇを添加して練り合わせ、白色のゲル状の製剤１００．５ｇを得た。
【００２８】
〔比較例２〕
焼ミョウバンを１０５ｇとし、比較例１と同様にして製剤２０５ｇを得た。
【００２９】
〔試験例１〕
実施例１〜６及び比較例１、２の製剤を指先に適量すくいとり、女性の膣内の粘膜に塗布した。各製剤とも２〜４分で体温によって軟化溶融し、膣内は女性の分泌液が分泌されたような状態となった。
【００３０】
また、実施例１〜６の製剤では製剤が軟化し始めると膣粘膜が徐々に収斂し始めるのが見られ、製剤が軟化した段階で男性性器を膣内に挿入すると適度な締めつけ感が得られた。この場合、焼ミョウバンの量が多いほど締めつけを開始するまでの時間が短く、実施例６では製剤を塗布してから５分以上が経過すると、男性性器が挿入し難くなった。その結果、男性性器の勃起が不十分な場合にも軟化した馬油の適度な潤滑性によって膣内に挿入でき、一旦挿入できると、膣粘膜の適度な締めつけが刺激となって男性性器が十分に勃起し、抜け難くなることが確認された。
【００３１】
比較例２では製剤が軟化を開始すると膣粘膜がすぐに収斂し、２〜３分もすると膣粘膜が収斂しすぎて男性性器の膣への挿入が困難であった。他方、比較例１では膣粘膜の収斂があまりなく、男性性器を膣内に挿入しても締めつけ感がほとんどなかった。
【００３２】
〔実施例７〜１２、比較例３、４〕
馬油に代えてオリーブ油を用いた以外、実施例１〜６、比較例１、２と同様にし、透明液体中に白色の粉末が分散した製剤を得た。
【００３３】
〔試験例２〕
実施例７〜１２及び比較例３、４の製剤を用い、試験例１と同様に試験をおこなったところ、試験例１に比較すると膣粘膜が収斂を開始するまでの時間が少し長くなった以外、試験例１と同様の結果が得られた。
【００３４】
〔実施例１３〜１８、比較例５、６〕
馬油に代えてまむし油を用いた以外、実施例１〜６、比較例１、２と同様にし、黒色の透明液体中に白色の粉末が分散した製剤を得た。
【００３５】
〔試験例３〕
実施例１３〜１８及び比較例５、６の製剤を用い、試験例１と同様に試験をおこなったところ、試験例１とほぼ同様の結果が得られた。
【００３６】
〔実施例１９〜２４〕
馬油に代えてごま油を用いた以外、実施例１〜６と同様にし、黒色の透明液体中に白色の粉末が分散した製剤を得た。
【００３７】
〔試験例４〕
実施例１９〜２４の製剤を用い、試験例１と同様に試験をおこなったところ、試験例１とほぼ同様の結果が得られた。しかし、試験例１に比較すると膣粘膜が収斂を開始するまでの時間が少し長くなった。
【００３８】
〔実施例２５〕
馬油１００ｇに硫酸アルミニウムアンモニウム（以下、ミョウバンという）１０ｇを混合した以外、実施例１と同様にして製剤を得た。
【００３９】
〔実施例２６〕
オリーブ油１００ｇにミョウバン１０ｇを混合した以外、実施例１と同様にして製剤を得た。
【００４０】
〔実施例２７、２８〕
ワセリン１００ｇに焼ミョウバン１０ｇ、ミョウバン１０ｇを混合した以外、実施例１と同様にして製剤を得た。
【００４１】
〔試験例５〕
実施例２５〜２８の製剤を用い、試験例１と同様に試験をおこなったところ、試験例１と同様の結果が得られた。
【００４２】
【発明の効果】
本発明の潤滑製剤は、安易に入手できる材料から簡単に得られ、男性器の勃起不全や女性の膣内分泌液不足に基づく性交障害を大幅に改善できる。